(57)【要約】      （修正有）【課題】ヘアーアイロン本体を実質的に回転させたり、該本体に毛髪を巻付けることなく、様々なカールやウェーブを毛髪に容易に付与できるヘアーアイロンを提供する。【解決手段】ヘアーアイロン１０は、２つの基体を相対して回動自在に枢支連結した把持本体１２と、一方の基体に設けた毛髪受け部材１４及び他方の基体に設けた毛髪押さえ部材からなる毛髪挟持部とを備え、毛髪受け部材１４及び毛髪押さえ部材１３に、相対する加熱板A、Bを設けている。そして、毛髪受け部材１４が、加熱板Aを有し、加熱板Aの長手方向に沿った両側に、毛髪を受けうる湾曲した、加熱板を有していない凹部１４ａを備え、毛髪押さえ部材１３が、加熱板Aに相対する加熱板Bを有し、加熱板Bの長手方向に沿った両側に、毛髪受け部材１４の凹部１４ａ内表面に対して毛髪を押さえ、毛髪を挟持しうるように湾曲した、加熱板を有していない凸部１３ａを備える。【選択図】図１
2004230180.tif 000002
【特許請求の範囲】
【請求項１】
第１の基体と第２の基体とを相対して回動自在に枢支連結した把持本体と、第１の基体に設けた毛髪受け部材及び第２の基体に設けた毛髪押さえ部材からなる毛髪挟持部とを備え、前記毛髪受け部材及び前記毛髪押さえ部材に、相対する加熱板(A)及び(B)を設けたヘアーアイロンであって、
前記毛髪受け部材が、本体の長手方向の延長線に沿って加熱板(A)を有し、該加熱板(A)の長手方向に沿った両側に、毛髪を受けうる湾曲した、加熱板を有していない第１の凹部及び第２の凹部を備え、
前記毛髪押さえ部材が、本体の長手方向の延長線に沿って、前記加熱板(A)に相対する加熱板(B)を有し、該加熱板(B)の長手方向に沿った両側に、前記毛髪受け部材の第１及び第２の凹部内表面に対して毛髪を押さえ、毛髪を挟持しうるように湾曲した、加熱板を有していない第１の凸部及び第２の凸部を備えることを特徴とするヘアーアイロン。
【請求項２】
前記相対する加熱板(A)及び(B)が、平板、若しくは互いに合致する湾曲板であることを特徴とする請求項１記載のヘアーアイロン。
【請求項３】
毛髪挟持部及び把持本体が、脱着しうる脱着機構を備えることを特徴とする請求項１又は２記載のヘアーアイロン。
【請求項４】
前記毛髪受け部材及び前記毛髪押さえ部材が備える第１の凹部、第２の凹部、第１の凸部及び第２の凸部が、各々脱着しうる脱着機構を有することを特徴とする請求項１〜３のいずれか１項記載のヘアーアイロン。
【請求項５】
第１の凹部と第２の凹部とが一体に連結されており、且つ第１の凸部と第２の凸部とが一体に連結されていることを特徴とする請求項４記載のヘアーアイロン。
【請求項６】
第１の凹部、第２の凹部、第１の凸部及び第２の凸部と、少なくとも湾曲面の曲率が異なる脱着機構を備える交換用の第１の凹部、第２の凹部、第１の凸部及び第２の凸部を備えることを特徴とする請求項４記載のヘアーアイロン。
【請求項７】
第１の凹部と第２の凹部とが一体に連結されており、第１の凸部と第２の凸部とが一体に連結されており、交換用の第１の凹部と第２の凹部とが一体に連結されており、且つ交換用の第１の凸部と第２の凸部とが一体に連結されていることを特徴とする請求項６記載のヘアーアイロン。
【発明の詳細な説明】
【技術分野】
【０００１】
本発明は、ヘアーアイロン本体を実質的に回転させたり、該本体に毛髪を巻付けることなく、毛髪に対して容易に様々なカールやウェーブを付けることができるヘアーアイロンに関する。
【背景技術】
【０００２】
ヘアーアイロンとしては、癖毛や人工的にカール付けした毛髪を、ストレートに強制するタイプと、毛髪に所望のカールやウェーブを付与するタイプのものが従来から良く知られている。
前記毛髪をストレートに強制するヘアーアイロンは、一般に、回動自在に枢支連結された把持本体に、相対する平板の加熱プレートを備えた毛髪挟持部を設けた構造を備えている。そして、癖毛等の毛髪を、加熱された前記加熱プレートで挟持し、毛の根元側から先端方向に加熱プレートをスライドさせることにより毛髪をストレートに強制することができる。
一方、毛髪に所望のカール等を付与するタイプのヘアーアイロンとしては、例えば、外形が円形となるパイプ状本体に合致する略半円弧状の毛髪押さえ板を、該パイプ状本体に相対して回動自在に枢支連結し、前記半円弧状の毛髪押さえ板の内面の略全面と、該毛髪押さえ板内面と合致するパイプ状本体の外面とが加熱しうる加熱板となっている構造を備える。
このようなヘアーアイロンは、パイプ状本体と、半円弧状の毛髪押さえ板とにより毛髪を挟持し、カール付け等を行う場合には、本体を回転させて毛髪を本体に巻きつけたり、回転させながらスライドさせる方法が採用される。この際、挟持した毛髪を本体に巻き付けせずに、また、回転させずにそのまま毛の根元側から先端方向にスライドさせる使用法が可能な場合にこのような使い方をすると、上述の癖毛等の毛髪をストレートに強制する場合と同様な作用が得られるのみで、毛髪にカール等は付与されない。
【０００３】
最近、ヘアーアイロンは、美容室等の専門店での使用のみならず、ドライヤーと同様に一般家庭においても普及しつつある。そして、熟練者のみならず、素人が自ら所望のカールやウェーブを毛髪に容易に付与したり、また、カール等がかかった毛髪をストレートに強制する様々なヘアーアイロンが多数提案され市販されている。例えば、特許文献１〜３には、毛髪に所望のカール等を付与できると共に、カール等がかかった毛髪をストレートに強制することもできるヘアーアイロンが提案されている。
しかし、従来提案されている毛髪に所望のカール等を付与できるヘアーアイロンは、ヘアーアイロン本体を回転させたり、該本体に毛髪を巻き付けたりしなければカール等を付与できない構造となっており、必ずしも素人においても所望のカール付けを容易に行うことができるとは限らないのが実状であった。
【特許文献１】特開２００２−３４５５３６号公報
【特許文献２】特開２０００−１５７３２２号公報
【特許文献３】特開２００３−２４５１１６号公報
【発明の開示】
【発明が解決しようとする課題】
【０００４】
従って、本発明の課題は、ヘアーアイロン本体を実質的に回転させたり、該本体に毛髪を巻付けることなく、様々なカールやウェーブを毛髪に容易に付与することができるヘアーアイロンを提供することにある。
【課題を解決するための手段】
【０００５】
本発明によれば、第１の基体(１１ｂ)と第２の基体(１１ａ)とを相対して回動自在に枢支連結した把持本体(１２)と、第１の基体に設けた毛髪受け部材(１４)及び第２の基体に設けた毛髪押さえ部材(１３)からなる毛髪挟持部とを備え、前記毛髪受け部材(１４)及び前記毛髪押さえ部材(１３)に、相対する加熱板(A)及び(B)を設けたヘアーアイロン(１０)であって、前記毛髪受け部材(１４)が、本体の長手方向の延長線に沿って加熱板(A)を有し、該加熱板(A)の長手方向に沿った両側に、毛髪を受けうる湾曲した、加熱板を有していない第１の凹部(１４ａ)及び第２の凹部(１４ｂ)を備え、前記毛髪押さえ部材(１３)が、本体の長手方向の延長線に沿って、前記加熱板(A)に相対する加熱板(B)を有し、該加熱板(B)の長手方向に沿った両側に、前記毛髪受け部材の第１及び第２の凹部内表面に対して毛髪を押さえ、毛髪を挟持しうるように湾曲した、加熱板を有していない第１の凸部(１３ａ)及び第２の凸部(１３ｂ)を備えることを特徴とするヘアーアイロンが提供される。
【０００６】
このような構成、特に、前記毛髪受け部材の加熱板(A)の長手方向に沿った両側に、毛髪を受けうる湾曲した、加熱板を有していない第１の凹部及び第２の凹部を備え、且つ前記毛髪押さえ部材の加熱板(B)の長手方向に沿った両側に、前記第１及び第２の凹部内表面に対して毛髪を押さえ、毛髪を挟持しうるように湾曲した、加熱板を有していない第１の凸部及び第２の凸部を備える構成を採用するので、例えば、使用に際しては、加熱板(A)及び(B)、並びに第１及び第２の凹部と第１及び第２の凸部により毛髪を挟持し、毛の根元側から先端方向に単に毛髪挟持部をスライドさせることで、加熱板(A)及び(B)により熱せられた毛髪が、毛の根元側に位置する、加熱板を有していない一方の凹部及び凸部の間で冷却され、この際、該凹部及び凸部の湾曲面に沿ったカールやウェーブを毛髪に付与することができる。
この際、当該凹部及び凸部の全面に加熱板を有する場合には、カールやウェーブを形成することができず、毛髪はストレートになる。
ここで、凹部及び凸部の形状は、後述する図２に示す凸部(１３ａ’，１３ｂ’)の湾曲形状及び凹部(１４ａ’，１４ｂ’)の湾曲形状を含む意である。
【０００７】
また、毛の先端側に位置する他方の凹部及び凸部は前記カールやウェーブの形成には作用しない。この他方の凹部及び凸部は、例えば、毛髪に対して左右対象に同様なカールやウェーブを形成する場合に、左側の毛髪を一方の凹部及び凸部が毛の根元側に位置するようにして毛髪を挟持してカールやウェーブを形成した後に、右側の毛髪を同様に挟持すると、当該他方の凹部及び凸部が毛の根元側に位置し、上記と同様な原理でカールやウェーブの形成に作用する。この際、一方の凹部及び凸部は毛の先端側に位置するので右側の毛髪のカールやウェーブの形成には作用しない。
要するに、本発明のヘアーアイロンでは、上記各加熱板(A)及び(B)の両側に上記第１及び第２の各凹部及び凸部を設けているので、左右対象のカールやウェーブの形成の際に、単に各凹部及び凸部の上下が逆になるようにヘアーアイロンの把持本体を持ち変えるのみで左右対象のカールやウェーブを容易に形成することができる。更に、カールやウェーブの調整は、挟持する毛髪量や、挟持する毛の根元からの距離等を適宜選択するのみで容易に変更することができる。
本発明のヘアーアイロンにおいて、前記加熱板(A)及び(B)の形成範囲は、所望のカールやウェーブを形成するために、毛髪の挟持量等を勘案して適宜決定することができる。
【０００８】
また本発明によれば、前記相対する加熱板(A)及び(B)が、平板、若しくは互いに合致する湾曲板であることを特徴とする前記ヘアーアイロンが提供される。
前記加熱板(A)及び(B)の形状は、形成されるカールやウェーブの形態に影響を及ぼすものではなく、所望量の毛髪を挟持しうる形態であれば様々な形態とすることが可能であるが、平板若しくは湾曲板がヘアーアイロンをスライドさせる際に毛髪の損傷が抑制でき好適である。
【０００９】
更に本発明によれば、前記毛髪挟持部及び前記把持本体が、脱着しうる脱着機構を備えることを特徴とする前記ヘアーアイロンが提供される。
このような脱着機構は、公知の脱着機構等が採用でき、毛髪挟持部を前記第１及び第２の凹部と第１及び第２の凸部の大きさや湾曲面の曲率を変更した他の毛髪挟持部に容易に交換することができる。また、毛髪挟持部として、本発明に係る毛髪挟持部の形態とは異なる、例えば、癖毛等をストレートに強制する公知形態等の毛髪挟持部と交換することも可能である。
【００１０】
更にまた本発明によれば、前記毛髪受け部材及び前記毛髪押さえ部材が備える第１の凹部、第２の凹部、第１の凸部及び第２の凸部が、各々脱着しうる脱着機構を有することを特徴とする前記ヘアーアイロンが提供され、また、前記第１の凹部、第２の凹部、第１の凸部及び第２の凸部と、少なくとも湾曲面の曲率が異なる脱着機構を備える交換用の第１の凹部、第２の凹部、第１の凸部及び第２の凸部を備えることを特徴とする前記ヘアーアイロンが提供される。
このように脱着機構を設けることで、少なくとも湾曲面の曲率が異なる脱着機構を備える交換用の第１の凹部、第２の凹部、第１の凸部及び第２の凸部と交換が可能となり、所望の凹部及び凸部に交換することで、大きさや形状が異なるカールやウェーブを容易に形成することができる。
また、このような凹部及び凸部を毛髪受け部材及び毛髪押さえ部材から取り外し、他の凹部及び凸部を装着せずに使用することにより、毛髪をストレートに強制することもできる。
更に、前記第１の凹部と第２の凹部とが一体に連結され、第１の凸部と第２の凸部とが一体に連結され、交換用の第１の凹部と第２の凹部とが一体に連結され、且つ交換用の第１の凸部と第２の凸部とが一体に連結されている態様が交換時の手間等が少なくなるので好ましい。
【発明の効果】
【００１１】
本発明のヘアーアイロンは、特に、前記毛髪受け部材の加熱板(A)の長手方向に沿った両側に、毛髪を受けうる湾曲した、加熱板を有していない第１の凹部及び第２の凹部を備え、且つ前記毛髪押さえ部材の加熱板(B)の長手方向に沿った両側に、前記第１及び第２の凹部内表面に対して毛髪を押さえ、毛髪を挟持しうるように湾曲した、加熱板を有していない第１の凸部及び第２の凸部を備えるので、ヘアーアイロン本体を実質的に回転させたり、該本体に毛髪を巻付けることなく、例えば、使用に際しては、加熱板(A)及び(B)、並びに第１及び第２の凹部と第１及び第２の凸部により毛髪を挟持し、毛の根元側から先端方向に単に毛髪挟持部をスライドさせるのみで、容易に様々なカールやウェーブを毛髪に付与することができ、しかも、左右対象のカールやウェーブの形成も容易に行なうことができる。従って、美容室等における使用のみならず、一般家庭においても容易に所望のカール等を毛髪に付与するために使用することができる。また、毛髪挟持部や前記凹部及び凸部を脱着可能にし、凹部及び凸部の大きさや湾曲率の異なる交換用を備えることにより、更に様々なカール等を容易に毛髪に付与することができる。
【発明を実施するための最良の形態】
【００１２】
以下、本発明の具体的な好ましい形態を図面を参照して更に詳細に説明するが、本発明はこれらに限定されず、種々の変更、改良を加えることができるものである。
図１は、本発明の一実施形態に係るヘアーアイロンの概略全体斜視図を示し、図２は、図１の毛髪押さえ部材１３及び毛髪受け部材１４の凹部及び凸部の形状を変更した他の実施形態に係るヘアーアイロンの概略全体斜視図を示し、図３は、本発明の別の実施形態に係る、脱着機構を備えた凹部及び凸部を取外した状態のヘアーアイロンの概略斜視図を示し、図４は、本発明に係る、脱着機構を備えた左右の凸部の一実施形態を示す概略斜視図を示し、図５は、本発明に係る、脱着機構を備えた左右の凹部の一実施形態を示す概略斜視図を示し、図６は、本発明に係る、脱着機構を備えた左右の凸部が一体に連結された一実施形態を示す概略斜視図を示し、図７は、本発明に係る、脱着機構を備えた左右の凹部が一体に連結された一実施形態を示す概略斜視図を示し、図８及び図９は、本発明のヘアーアイロンの使用法と、使用した際に毛髪に付与されるカールやウェーブの状態を説明するための使用説明図である。
【００１３】
図１において１０は、カールやウェーブを毛髪に付与しうるヘアーアイロンであり、該ヘアーアイロン１０は、第１のアーム１１ａ及び第２のアーム１１ｂが連結部１２に回動自在に枢支連結した把持本体アーム１１と、毛髪を挟持するための、毛髪押さえ部材１３及び毛髪受け部材１４からなる毛髪挟持部とを備えた構成を有する。ここで、把持本体アーム１１には、後述する加熱板を加熱するための電源コード１５が接続されており、図示しないが、加熱温度を所望温度に調整しうる温度制御装置等が備えられている。
また、この態様では、図１に示すＡの部分で、把持本体アーム１１と、毛髪挟持部の毛髪押さえ部材１３及び毛髪受け部材１４とが脱着自在に連結されている。この脱着は、例えば、公知の脱着機構を設けることにより行うことができる。
ここで、把持本体アーム１１を構成する第１のアーム１１ａ及び第２のアーム１１ｂの形態は、図示したものに限定されず、握り易い等の形態であれば特に限定されない。
【００１４】
毛髪押さえ部材１３は、第１のアーム１１ａの長手方向の延長線に沿って加熱板１３Aを有しており、該加熱板１３Aの長手方向に沿った両側に、毛髪を押さえ、毛髪を挟持しうる図示するような凸部(１３ａ，１３ｂ)を備えている。
一方、毛髪受け部材１４は、第２のアーム１１ｂの長手方向の延長線に沿った加熱板１４Bを前記加熱板１３Aに相対するように有しており、該加熱板１４Bの長手方向に沿った両側に、毛髪を受理し、前記凸部(１３ａ，１３ｂ)と共に毛髪を挟持しうる凹部(１４ａ，１４ｂ)を備えている。
ここで、前記凸部(１３ａ，１３ｂ)表面及び凹部(１４ａ，１４ｂ)の内表面に加熱板を設けると、加熱板(A，B)により加熱された毛髪が凹部の湾曲面において冷却されず、所望のカールやウェーブが形成されない。例えば、該凸部表面及び凹部内表面の全面に加熱板を設けると、湾曲面に関係なく毛髪はストレートに強制される。従って、前記凸部(１３ａ，１３ｂ)表面及び凹部(１４ａ，１４ｂ)内表面の全面に加熱板を設けることはできない。
【００１５】
前記毛髪押さえ部材１３及び毛髪受け部材１４が有する加熱板(１３A，１４B)は平板であるが、必ずしも平板に限定されるものではなく、互いに合致する湾曲面を有する板であっても平板と同様に所望のカール又はウェーブを形成することができる。また、加熱板(１３A，１４B)の長手方向に対する設置範囲は、必ずしも図１に示すように毛髪押さえ部材１３及び毛髪受け部材１４の先端から設ける必要は無く、所望の範囲で設けることができる。更に、該加熱板の幅も特に限定されず、本発明の所望の効果が得られる範囲であれば適宜選択することができる。
前記毛髪押さえ部材１３及び毛髪受け部材１４が有する凸部(１３ａ，１３ｂ)及び凹部(１４ａ，１４ｂ)の大きさや湾曲面の曲率等は、所望により適宜変更することができる。また、このような凸部及び凹部の大きさや湾曲面の曲率等が異なる交換用の、脱着機構を備えた毛髪押さえ部材及び毛髪受け部材を用意することで、図１におけるAの部分において、所望の凸部及び凹部を有する交換用の毛髪押さえ部材及び毛髪受け部材に変更することができる。
【００１６】
図２は、図１の毛髪押さえ部材１３及び毛髪受け部材１４の凹部及び凸部の形状を変更した他の実施形態に係るヘアーアイロン２０であって、凸部(１３ａ’，１３ｂ’)及び凹部(１４ａ’，１４ｂ’)の形状が図１と異なる以外は図１と同様である。従って、毛髪押さえ部材１３及び毛髪受け部材１４に対応する部材の番号にダッシュを付与して示しその説明を省略する。
【００１７】
図３は、図１において、脱着機構Aを備えておらず、毛髪押さえ部材１３及び毛髪受け部材１４の代わりに脱着機構を備えた、凸部を取外した状態の毛髪押さえ部材２３及び凹部を取外した状態の毛髪受け部材３４を備えるヘアーアイロン３０の概略斜視図である。そして、毛髪押さえ部材３３及び毛髪受け部材３４にかかる部材以外は図１と同じ部材については、図１と同じ図番を付すのでそれらの説明は省略する。
図３において、前記毛髪押さえ部材３３は、第１のアーム１１ａの長手方向の延長線に沿って加熱板３３Aを有しており、該加熱板３３Aの長手方向に沿った両側には、毛髪を押さえ、毛髪を挟持しうる図４又は図６に示す凸部(４１，４２)を取りつけることが可能な脱着機構(３３ａ，３３ｂ）を備える。該脱着機構(３３ａ，３３ｂ)は、図４又は図６に示す凸部(４１，４２)に備えられた脱着機構(４１ａ，４２ａ)と嵌合する形態を有しており、これら脱着機構により凸部(４１，４２)を毛髪押さえ部材３３の所定箇所に取りつけることができる。ここで、図６は、図４に示す凸部(４１，４２)を連結板４０により一体化した例である。
一方、毛髪受け部材３４は、第２のアーム１１ｂの長手方向の延長線に沿った加熱板３４Bを前記加熱板３３Aに相対するように有しており、該加熱板３４Bの長手方向に沿った両側には、毛髪を受理する図５又は図７に示す凹部(５１，５２)を取りつけることが可能な脱着機構(３４ａ，３４ｂ）を備える。該脱着機構(３４ａ，３４ｂ)は、図５又は図７に示す凹部(５１，５２)に備えられた脱着機構(５１ａ，５２ａ)と嵌合する形態を有しており、これら脱着機構により凹部(５１，５２)を毛髪受け部材３４の所定箇所に取りつけることができる。ここで、図７は、図５に示す凹部(５１，５２)を連結板５０により一体化した例である。
【００１８】
前記図３に示す毛髪押さえ部材３３及び毛髪受け部材３４の所定の箇所に、図４又は図６に示す凸部(４１，４２)と、図５又は図７に示す凹部(５１，５２)とを取りつけることにより、図１に示す形態に略類似した形態のヘアーアイロンを得ることができる。そして、その毛髪に対する作用は図１に示すヘアーアイロンと同様である。また、図３に示す前記凸部及び凹部を取外した状態のヘアーアイロン３０は、所望により、そのまま使用することにより、毛髪をストレートに強制するヘアーアイロンとしても使用することができる。
更に、図４又は図６に示す凸部(４１，４２)と、図５又は図７に示す凹部(５１，５２)において、それぞれ大きさや湾曲面の曲率の異なる交換用の凸部及び凹部を用意することにより、所望のカールやウェーブをする際に、それに合う湾曲面を有する凸部及び凹部を選択して毛髪押さえ部材３３及び毛髪受け部材３４の所定の箇所に取りつけて使用することができる。
【００１９】
図８及び図９は、それぞれ図１に示すヘアーアイロン１０を用いて毛髪(８０，９０)にウェーブを付与している状態を示すものである。毛髪(８０，９０)は、上方が毛髪根元側であり、下方が毛髪先端である。
ヘアーアイロン１０を用いて毛髪８０にウェーブを付与するには、図示するように、凸部１３ａ及び凹部１４ａが毛髪８０の根元側に、凸部１３ｂ及び凹部１４ｂが毛髪８０の先端側に位置するように毛髪押さえ部材１３と毛髪受け部材１４で毛髪８０を挟持し加熱板(１３A，１４B)を加熱させながら、ヘアーアイロン１０を毛の根元側から先端方向に、即ち矢印X方向にスライドさせることで、図８に示すようなウェーブが付与される。
ここで、毛髪８０が右側の毛髪である場合は内巻きのウェーブやカールが形成され、左側の毛髪である場合には外巻きのウェーブやカールが形成される。
一方、ヘアーアイロン１０を用いて毛髪９０にウェーブを付与するには、図示するように、凸部１３ｂ及び凹部１４ｂが毛髪９０の根元側に、凸部１３ａ及び凹部１４ａが毛髪９０の先端側に位置するように毛髪押さえ部材１３と毛髪受け部材１４で毛髪９０を挟持し加熱板(１３A，１４B)を加熱させながら、ヘアーアイロン１０を毛の根元側から先端方向に、即ち矢印X方向にスライドさせることで、図９に示すようなウェーブが付与される。
ここで、毛髪９０が右側の毛髪である場合は外巻きのウェーブやカールが形成され、左側の毛髪である場合には内巻きのウェーブやカールが形成される。要するに、図８の場合と逆のウェーブやカールが形成される。
【００２０】
図８及び図９において、毛髪(８０，９０)にウェーブやカールを形成するための凸部及び凹部は、それぞれ毛髪の根元側にある凸部及び凹部である。要するに、図８の場合には凸部１３ａ及び凹部１４ａがウェーブやカールを形成するために作用し、凸部１３ｂ及び凹部１４ｂはウェーブやカールを形成には関与しない。一方、図９の場合には、凸部１３ｂ及び凹部１４ｂがウェーブやカールを形成するために作用し、凸部１３ａ及び凹部１４ａはウェーブやカールを形成には関与しない。
従って、本発明にかかるヘアーアイロン１０は、毛髪押さえ部材１３と毛髪受け部材１４が、それぞれ凸部及び凹部を２つ有するので、左右の毛髪にカールやウェーブを形成する際にヘアーアイロン１０自体は同じ方向を向けた状態で、単に該凸部及び凹部の位置を逆転させるようにヘアーアイロン１０を回転させて把持するという簡単な操作で容易に左右対称のウェーブやカールを形成することができる。
【００２１】
本発明にかかるヘアーアイロンにおいては、毛髪挟持部(毛髪押さえ部材及び毛髪受け部材)で毛髪を最初に挟持する位置を、例えば、毛髪の先端近くとすることにより、Ｃカールを付与することができ、該先端近くより少し上方を最初に挟持することにより、Ｓカールを形成することができる。
従って、毛髪挟持部で最初に挟持する毛髪の位置や挟持する毛髪量等を種々変更することにより、所望の様々なカールやウェーブを毛髪に付与することができる。また、加熱板の加熱温度を調整することによっても様々な形態のカールやウェーブを毛髪に付与することができる。
【図面の簡単な説明】
【００２２】
【図１】本発明に係るヘアーアイロンの一実施形態を示す概略全体斜視図である。
【図２】図１の毛髪押さえ部材１３及び毛髪受け部材１４の凹部及び凸部の形状を変更した本発明の他の実施形態に係るヘアーアイロンを示す概略全体斜視図である。
【図３】本発明に係る、脱着機構を備えた凹部及び凸部を取外した状態のヘアーアイロンの一実施形態を示す概略斜視図である。
【図４】本発明に係る、脱着機構を備えた左右の凸部の一実施形態を示す概略斜視図である。
【図５】本発明に係る、脱着機構を備えた左右の凹部の一実施形態を示す概略斜視図である。
【図６】本発明に係る、脱着機構を備えた左右の凸部が一体に連結された一実施形態を示す概略斜視図である。
【図７】本発明に係る、脱着機構を備えた左右の凹部が一体に連結された一実施形態を示す概略斜視図である。
【図８】本発明のヘアーアイロンの使用法と、使用した際に毛髪に付与されるカールやウェーブの状態を説明するための使用説明図である。本発明の一実施形態に係るヘアーアイロンを示す概略全体斜視図である。
【図９】本発明のヘアーアイロンの使用法と、使用した際に毛髪に付与されるカールやウェーブの状態を説明するための別の使用説明図である。
【符号の説明】
【００２３】
１０，２０，３０：ヘアーアイロン
１１：把持本体アーム
１１ａ：第１のアーム
１１ｂ：第２のアーム
１３，１３’，３３：毛髪押さえ部材
１３ａ，１３ｂ，１３ａ’，１３ｂ’，４１，４２：凸部
１４，１４’，３４：毛髪受け部材
１４ａ，１４ｂ，１４ａ’，１４ｂ’，５１，５２：凹部
１３Ａ，１４Ｂ，１３Ａ’，１４Ｂ’，３３Ａ，３３Ｂ：加熱部
４０，５０：連結板
Ａ，３３ａ，３３ｂ，３４ａ，３４ｂ，４１ａ，４２ａ，５１ａ，５２ａ：脱着機構
８０，９０：毛髪
【図１】
2004230180.tif 000003
【図２】
2004230180.tif 000004
【図３】
2004230180.tif 000005
【図４】
2004230180.tif 000006
【図５】
2004230180.tif 000007
【図６】
2004230180.tif 000008
【図７】
2004230180.tif 000009
【図８】
2004230180.tif 000010
【図９】
2004230180.tif 000011